(57)【要約】【課題】筐体支持脚の周辺に水がたまり、切断面である固定部材の端面がさびていた。【解決手段】表面及び裏面が防錆処理された金属製の筐体支持脚１であって、前記設備機器に当接する受け部２と、設置面である基礎５に当接し、両端が切断面で形成されている固定部４と、を有し、固定部４は、基礎５に当接する凸部８を備えるとともに、前記両端の切断面が基礎５と隙間を有するように構成されているので、切断面７が雨水の滞留する基礎面と凸部によって一定に距離を保てるため水切れがよくなって乾燥しやすくなるため切断面のさびの進行を防ぐ。【選択図】図１
2012098002.tif 000002
【特許請求の範囲】
【請求項１】
設備機器を設置面に設置するための、表面及び裏面が防錆処理された金属製の筐体支持脚であって、
前記設備機器に当接する受け部と、
前記設置面に当接し、両端が切断面で形成されている固定部と、
を有し、
前記固定部は、設置面に当接する凸部を備えるとともに、前記両端の切断面が設置面と隙間を有するように構成されている、
筐体支持脚。
【請求項２】
前記凸部は、前記固定部に複数形成されている、
請求項１に記載の筐体支持脚。
【発明の詳細な説明】
【技術分野】
【０００１】
本発明は、燃料電池システムなどの設備機器を設置するための筺体支持脚に関する。
【背景技術】
【０００２】
筐体支持脚は燃料電池システムなどの設備機器の筐体の最下部に設けてあり、筐体とは強固に一体に固定されている。筺体支持脚は、設備機器が上に載せられて、設備機器をコンクリートなどの地面である設置面から浮かして支持し、雨水などが設備機器本体に流入するのを防止するとともに転倒を防ぐための支えの役目を果たしている（例えば、特許文献１参照）。
【０００３】
図３は、特許文献１に記載された従来の筐体指示脚の構造を示すものである。
【０００４】
図３（ａ）および図３（ａ）のＡ−Ａ断面を示す図３（ｂ）に示すように、筐体支持脚１０１は板金をプレス加工で断面を略矩形に加工し、受け部１０１ａで筐体１０５を受け、固定部１０１ｂで設置面である基礎１０４に固定されて重量に耐えるような構造になっている。材料の板金は雨水などによって錆びないように両面１０２は防錆処理（メッキ処理）された鋼板が使用される。
【先行技術文献】
【特許文献】
【０００５】
【特許文献１】特開２００７−１５５２８４号公報
【発明の概要】
【発明が解決しようとする課題】
【０００６】
しかしながら、前記従来の構成の筐体支持脚１０１の板金材料は両面１０２が防錆処理されているメッキ処理鋼板が使用されるが、筐体支持脚１０１は防錆処理を施した板金をプレス加工で打ち抜いて略矩形に曲げ加工されるので端面１０３には防錆処理がなされていない。このために基礎１０４と接触する部分の固定部１０１ｂの端面１０３は基礎１０４に滞留した雨水に長時間さらされ、端面１０３錆びが進行するという課題を有していた。
【０００７】
本発明は、前記従来の課題を解決するもので、基礎１０４と接触する板金の切断面１０３と雨水との接触時間を軽減し、端面１０３の錆びの進行を防ぐ固定部材１０１を提供することを目的とする。
【課題を解決するための手段】
【０００８】
前記従来の課題を解決するために、本発明は、
設備機器を設置面に設置するための、表面及び裏面が防錆処理された金属製の筐体支持脚であって、
前記設備機器に当接する受け部と、
前記設置面に当接し、両端が切断面で形成されている固定部と、
を有し、
前記固定部は、設置面に当接する凸部を有しているとともに、前記両端の切断面が設置面と隙間を有するように構成されている。
【０００９】
上記構成により、切断面が雨水の滞留する設置面と凸部の高さによって一定に距離を保てるため、水切れがよくなって端面が乾燥しやすいので防錆処理の施されていない端面の
さびの進行を防ぐことができる。
【発明の効果】
【００１０】
本発明の筐体支持脚は、塗装などの後処理をすることなく、両端の切断面が長時間雨水にさらされることがなくなり切断面のさびの進行を防ぐことができる。
【図面の簡単な説明】
【００１１】
【図１】（ａ）本発明の実施の形態１における筐体支持脚の構成を示す正面図、（ｂ）本発明の実施の形態１における筐体支持脚の構成を示す正面図のＡ−Ａ断面図
【図２】本発明の実施の形態２における筐体支持脚の構成を示す正面図
【図３】（ａ）従来の筐体支持脚の構成を示す正面図、（ｂ）従来の筐体支持脚の構成を示す正面図のＢ−Ｂ断面図
【発明を実施するための形態】
【００１２】
第１の発明は、
設備機器を設置面に設置するための、表面及び裏面が防錆処理された金属製の筐体支持脚であって、
前記設備機器に当接する受け部と、
前記設置面に当接し、両端が切断面で形成されている固定部と、
を有し、
前記固定部は、設置面に当接する凸部を有しているとともに、前記両端の切断面が設置面と隙間を有するように構成されている筺体支持脚である。
【００１３】
上記構成により、切断面が雨水の滞留する基礎面と凸部によって一定に距離を保つことができ、水切れがよくなって乾燥しやすくなるため、切断面のさびの進行を防ぐことができる。
【００１４】
第２の発明は、第１の発明において、前記凹部は、前記固定部に複数形成されている、筐体支持脚である。
【００１５】
この構成により、設置面との接触面積が少なくすることができ、筐体支持脚と設置面との隙間に滞留した雨水の排出と通風で雨水の蒸発を促進させることとなり、端面が乾燥しやすく、端面のさびの進行を防ぐことができる。
【００１６】
以下、本発明の実施の形態について、図面を参照しながら説明する。なお、本実施の形態によって本発明が限定されるものではない。また、全ての図面において、同一または相当部分には同一符号を付し、重複する説明は省略する。また、全ての図面において、本発明を説明するために必要となる構成要素のみを抜粋して図示しており、その他の構成要素については図示を省略している。
【００１７】
（実施の形態１）
図１（ａ）は、本発明の第１の実施の形態における筐体支持脚の正面を示すものである。図１（ｂ）は、図１（ａ）におけるＡ−Ａ断面図を示している。
【００１８】
図１（ａ）および（ｂ）において、筐体支持脚１は受け部２に設備機器３、たとえば燃料電池システムを上載しており、設備機器３に強固に固定されている。固定部４は設備機器３が設置される設置面である基礎５と凸部８で当接し、設備機器３を安定して支えている。
【００１９】
基礎５は地面に穴を掘り、コンクリートを流し込んで上面６を水平に保って固めてあり
、設備機器３の重量に長期間耐えられるよう構成されている。
【００２０】
筐体支持脚１は、板金の両面を防錆処理（たとえばメッキ処理）したメッキ処理鋼板をプレス加工されているので、両端の切断面７は、防錆処理がなされておらず長時間雨水と接触しているとさびが発生するので好ましくない。
【００２１】
固定部４には基礎５の上面６に向かって凸部８が設けてあり、上面６と当接しているので固定部４の切断面７は上面６と凸部８の高さ分だけ隙間を設けることができるので上面６に滞留した雨水に切断面７が長時間接することを防ぐことができる。
【００２２】
また、雨水がなくなった後、基礎５に含まれた水分が蒸発する時も切断面７に湿気がとどまることを防ぐことができるのでさびの発生を防ぐことに有効である。
【００２３】
次に図１（ａ）および（ｂ）を用いて筐体支持脚１の作用を説明する。
【００２４】
固定部４には基礎５の上面６に向かって凸部８が設けてあり上面６と当接しているので固定部４の切断面７は上面６と凸部８の高さ分だけ隙間を設けることができるので上面６に滞留した雨水に切断面７が浸漬することを防ぐことができる。
【００２５】
以上のように、本実施の形態においては、筐体支持脚１周囲の基礎上の雨水を防錆処理の施されていない端面からすばやく排出、乾燥し端面の錆びの進行を防ぐ。
【００２６】
（実施の形態２）
図２は、本発明の第２の実施の形態における筐体支持脚の正面図である。図２において、筐体支持脚１は、固定部４に凸部８が複数個形成されている。
【００２７】
複数の凸部８と凸部８の中間の空間９は、基礎５と距離を保てるので基礎５の上面６と筐体支持脚１の接触境界面１０に毛細管現象で入り込んだ雨水の排出を良くするとともに空気の流れることが可能となり基礎５にしみこんだ水分の蒸発を促進するので切断面７における錆びの進行を防ぐことに有効である。
【産業上の利用可能性】
【００２８】
以上のように、本発明にかかる筐体支持脚は、防錆処理の施されていない端面（表面処理鋼板の切断面）が基礎表面に滞留した雨水に長時間接触することなくなり錆びの進行を防ぐことが可能となるので、塗装処理なども不要となり、燃料電池システム、給湯タンク、エアコンの室外機など、様々な設備機器の支持脚として適用できる。
【符号の説明】
【００２９】
１  筐体支持脚
２  受け部
３  設備機器
４  固定部
５  基礎（設置面）
７  切断面
８  凸部
【図１】
2012098002.tif 000003
【図２】
2012098002.tif 000004
【図３】
2012098002.tif 000005